(57)【要約】【課題】  色度についての均一性の高い所望の色度の光を出射することのできる光源装置を提供すること。【解決手段】  この光源装置は、円筒状の透光筒と、透光筒の内部において透光筒の長手方向に沿って延びるよう配設された基板と、基板上においてその長手方向に並んで配置された複数のＬＥＤ素子とを備えてなり、透光筒の外周面に、透光筒の長手方向に沿って延びる開口部を有する反射体が設けられ、透光筒の内周面の周方向における全周にわたる領域または周方向における一部を除いた領域、あるいは、透光筒と反射体との間に、蛍光体層が設けられた構成、あるいは、透光筒の内周面に前記反射体が設けられ、反射体の内周面および透光筒における反射体の開口部に対応する領域の内周面の少なくとも一方の、周方向における全周にわたる領域または周方向における一部を除いた領域に、蛍光体層が設けられた構成とされている。【選択図】  図２
2011250028.tif 000002
【特許請求の範囲】
【請求項１】
円筒状の透光筒と、当該透光筒の内部において当該透光筒の長手方向に沿って延びるよう配設された基板と、当該基板上においてその長手方向に並んで配置された複数のＬＥＤ素子とを備えてなり、
前記透光筒の外周面には、当該透光筒の長手方向に沿って延びる開口部を有する反射体が設けられており、
前記透光筒の内周面の周方向における全周にわたる領域または周方向における一部を除いた領域に、あるいは、前記透光筒と前記反射体との間に、蛍光体層が設けられていることを特徴とする光源装置。
【請求項２】
円筒状の透光筒と、当該透光筒の内部において当該透光筒の長手方向に沿って延びるよう配設された基板と、当該基板上においてその長手方向に並んで配置された複数のＬＥＤ素子とを備えてなり、
前記透光筒の内周面には、当該透光筒の長手方向に沿って延びる開口部を有する反射体が設けられており、
前記反射体の内周面および前記透光筒の前記反射体の開口部に対応する領域の内周面の少なくとも一方の、周方向における全周にわたる領域または周方向における一部を除いた領域に、蛍光体層が設けられていることを特徴とする光源装置。
【請求項３】
前記ＬＥＤ素子の各々は、当該ＬＥＤ素子の光軸が前記反射体の開口部の周方向における中央から変位して位置されるよう、配置されていることを特徴とする請求項１または請求項２に記載の光源装置。
【請求項４】
前記ＬＥＤ素子の各々は、当該ＬＥＤ素子の光軸が前記反射体に向かって延びるよう、配置されていることを特徴とする請求項３に記載の光源装置。
【請求項５】
前記基板は、当該基板が前記透光筒に対して相対的に回転可能とされた状態で、基板保持部材によって保持されていることを特徴とする請求項１乃至請求項４のいずれかに記載の光源装置。
【発明の詳細な説明】
【技術分野】
【０００１】
本発明は、例えば、ファクシミリ、複写機、スキャナなどの機器における原稿読取用の光源として用いられる光源装置に関する。
【背景技術】
【０００２】
近年、例えば、ファクシミリ、複写機、イメージリーダ、バーコードリーダ等における原稿読取装置においては、白色光を放射するＬＥＤを備えた光源装置が利用されるようになってきている。
このようなＬＥＤを備えた光源装置５０のある種のものは、図９に示すように、基板５１の長手方向に所定の間隔を置いて配列された複数のＬＥＤ５５と、複数のＬＥＤ５５と原稿載置面６０Ａとの間において一端面がＬＥＤ５５と対向して配置された、各々のＬＥＤ５５からの光束を被照明領域に導く板状の透明材料からなる導光体５８とを備えており、ＬＥＤ５５からの光が導光体５８の一端面より入射されて導光体５８内において反射されながら導光されて導光体５８の他端面から出射され、原稿載置面６０Ａにおいて、原稿の情報を読み取るための主走査方向に延びる帯状の光照射領域が形成される構成とされている（例えば特許文献１参照）。図９において、６０は原稿が載置される原稿台、６５はＣＣＤ（受光素子）、６１は、原稿よりの反射光を反射してＣＣＤ６５に受光させる反射ミラーである。
【０００３】
光源として用いられるＬＥＤ５５のある種のものは、図１０に示すように、例えば、チップ状の青色発光ＬＥＤ素子５６がＹＡＧ蛍光体（黄色蛍光体）が混入された透明な樹脂よりなる蛍光体層５７によりモールドされて構成され、蛍光体層５７を透過する青色発光ＬＥＤ素子５６からの青色光（破線）と、青色発光ＬＥＤ素子５６からの青色光によって蛍光体が励起されることによる蛍光体層５７の発光による黄色光（実線）とによって、白色光が放射される構成とされている（例えば特許文献２参照）。
【先行技術文献】
【特許文献】
【０００４】
【特許文献１】特開２００６−０６７５５１号公報
【特許文献２】特開２００６−１２１５５５号公報
【発明の概要】
【発明が解決しようとする課題】
【０００５】
しかしながら、青色発光ＬＥＤ素子５６の発光は、例えば青色発光ＬＥＤ素子５６における光出射面の法線方向に高い指向性を有しており、上記構成のＬＥＤ５５は、蛍光体層５７によるモールド形状によって、青色発光ＬＥＤ素子５６の光出射面の法線方向に出射される光は蛍光体層５７を透過する距離が短くＹＡＧ蛍光体の粒子との衝突が少ないので青色成分が多くなり、青色発光ＬＥＤ素子５６の光出射面の法線方向に対して傾斜する方向に出射される光は蛍光体層７５を透過する距離が長くＹＡＧ蛍光体の粒子との衝突が多いので黄色成分が多くなる。したがって、方向によって青色光と黄色光との光量バランスが異なり、放射される白色光が方向によって色味の異なるものとなる、という問題がある。
また、上記構成のＬＥＤ５５では、その作製時において、設定された色度が得られるよう青色発光ＬＥＤ素子５６と蛍光体層５７との相対位置が決められているので、所定の色度の光しか得ることができない。一方、例えば原稿読取装置におけるＣＣＤ６５はその感度特性に個体差を有するものであるため、上記構成のＬＥＤ５５を備えた光源装置が原稿読取装置に搭載される場合には、ＬＥＤ５５からの出射光の色度が、実際に原稿読取装置に搭載されているＣＣＤ６５に応じたものとなるよう調整することはできず、結局、ＣＣＤ６５の感度特性に応じた色度の光を得ることができない、という問題がある。
【０００６】
本発明は、以上のような問題を解決するためになされたものであって、色度についての均一性の高い所望の色度の光を出射することのできる光源装置を提供することを目的とする。
【課題を解決するための手段】
【０００７】
本発明の光源装置は、円筒状の透光筒と、当該透光筒の内部において当該透光筒の長手方向に沿って延びるよう配設された基板と、当該基板上においてその長手方向に並んで配置された複数のＬＥＤ素子とを備えてなり、
前記透光筒の外周面には、当該透光筒の長手方向に沿って延びる開口部を有する反射体が設けられており、
前記透光筒の内周面の周方向における全周にわたる領域または周方向における一部を除いた領域に、あるいは、前記透光筒と前記反射体との間に、蛍光体層が設けられていることを特徴とする。
【０００８】
本発明の光源装置は、円筒状の透光筒と、当該透光筒の内部において当該透光筒の長手方向に沿って延びるよう配設された基板と、当該基板上においてその長手方向に並んで配置された複数のＬＥＤ素子とを備えてなり、
前記透光筒の内周面には、当該透光筒の長手方向に沿って延びる開口部を有する反射体が設けられており、
前記反射体の内周面および前記透光筒の前記反射体の開口部に対応する領域の内周面の少なくとも一方の、周方向における全周にわたる領域または周方向における一部を除いた領域に、蛍光体層が設けられていることを特徴とする。
【０００９】
本発明の光源装置においては、前記ＬＥＤ素子の各々は、当該ＬＥＤ素子の光軸が前記反射体の開口部の周方向における中央から変位して位置されるよう、配置された構成とされていることが好ましく、当該ＬＥＤ素子の光軸が前記反射体向かって延びるよう、配置された構成とされていることがより好ましい。
【００１０】
また、本発明の光源装置においては、前記基板は、当該基板が前記透光筒に対して相対的に回転可能とされた状態で、基板保持部材によって保持された構成とされていることが好ましい。
【発明の効果】
【００１１】
本発明の光源装置によれば、透光筒の内周面または外周面、あるいは、反射体の内周面を利用して蛍光体層が設けられていることにより、蛍光体層は厚みの均一性の高いものとなり、ＬＥＤ素子からいずれの方向に出射される光についても、蛍光体層を透過する距離が同じになるので、色度の均一化度の高い光を出射することができ、しかも、各々のＬＥＤ素子は、開口部を有する反射体および蛍光体層が設けられた透光筒と分離されて透光筒の内部に配置された構成とされていることにより、ＬＥＤ素子の光軸の、反射体の開口部に対する角度状態を適宜に調整することによって、出射光におけるＬＥＤ素子の発光による光と蛍光体層の発光による光との光量バランスを容易に調整することができるので、所望の色度の光を得ることのできるものとして構成することができる。
また、一種類のＬＥＤ素子によって、上記の効果が得られるので、光学特性の調整が容易である。
【００１２】
さらにまた、ＬＥＤ素子が配置された基板が透光筒に対して相対的に回転可能に保持された構成とされていることにより、出射光の色度の調整を目的に応じて適宜に行うことができるので、例えば原稿読取装置に搭載するに際して、実際に原稿読取装置に搭載されている受光素子の感度特性に応じた所望の色度の光を確実に放射することができる。
【図面の簡単な説明】
【００１３】
【図１】本発明の光源装置の一例における構成の概略を透光筒の軸中心に沿って切断した状態で示す断面図である。
【図２】図１に示す光源装置の構成の概略を透光筒の軸中心に対して垂直方向に切断した状態で示す断面図である。
【図３】本発明におけるＬＥＤ素子の光軸の定義を説明するためのＬＥＤ素子の配光分布を概略的に示す観念図である。
【図４】図２に示す光源装置において、ＬＥＤ素子の光軸の、反射体の開口部に対する角度状態が変更された状態を示す断面図である。
【図５】図２に示す光源装置において、ＬＥＤ素子の光軸の、反射体の開口部に対する角度状態が変更された状態を示す断面図である。
【図６】本発明の光源装置の他の例における構成の概略を示す説明図であって、（Ａ）左端面図、（Ｂ）一部を透光筒の軸中心に沿って切断した状態で示す断面図である。
【図７】本発明の光源装置の他の例における構成の概略を透光筒の軸中心に対して垂直方向に切断した状態で示す断面図である。
【図８】本発明の光源装置のさらに他の例における構成の概略を透光筒の軸中心に対して垂直方向に切断した状態で示す断面図である。
【図９】原稿読取装置に搭載された従来の光源装置の一例における構成の概略を、原稿載置面の副走査方向における照度分布と共に示す、副走査方向に沿って切断した断面図である。
【図１０】ＬＥＤ素子の一例における構成の概略を示す断面図である。
【発明を実施するための形態】
【００１４】
図１は、本発明の光源装置の一例における構成の概略を透光筒の中心軸に沿って切断した状態で示す断面図、図２は、図１に示す光源装置の構成の概略を透光筒の軸中心に対して垂直方向に切断した状態で示す断面図である。
この光源装置１０は、一面上に複数個のチップ状のＬＥＤ素子２０が実装された長尺な平板状のプリント回路基板２１が、円筒状の透光筒１１の内部において透光筒１１の軸中心ＬＣに沿って延びるよう配設されて、構成されている。
透光筒１１の両端部の各々には、基板保持部材（ホルダ）３０が、その内面と透光筒１１の外周面との間に充填された例えば無機接着剤Ｓにより固定されて設けられており、プリント回路基板２１は、その両端部が基板保持部材３０の端壁に形成された貫通孔内に挿入されて例えば無機接着剤Ｓにより固定され、これにより、保持固定されている。
そして、例えば、原稿読取装置に搭載されるに際しては、原稿読取装置における原稿が載置される透光性を有する原稿台４０の下方位置において、透光筒１１が原稿台４０の原稿載置面４０Ａと平行な平面に沿って主走査方向に伸び、例えばＬＥＤ素子２０の光出射面２０Ａにおける中央位置と後述する反射体１５の開口部１６の周方向における中央位置とを結ぶ仮想直線Ｌが原稿載置面４０Ａと垂直な原稿読取軸Ｙに対して所定の角度で傾斜した状態で配置される。光源装置１０からの光が原稿載置面４０Ａに照射されることによって、原稿載置面４０Ａに、原稿の情報を読み取るための、主走査方向に延びる帯状の照明領域ＬＡが形成される。なお、「副走査方向」とは、原稿載置面４０Ａに対して光源装置を相対的に移動させるときの移動方向を意味し、「主走査方向」とは、副走査方向と垂直な方向であって原稿載置面４０Ａに対して平行な方向をいうものとする。
【００１５】
各々のＬＥＤ素子２０は、例えば、３８０ｎｍ〜４９０ｎｍにピーク波長を有する光を発する青色発光ＬＥＤ素子が用いられており、プリント回路基板２１の一面上において、光出射面２０Ａが透光筒１１の軸中心ＬＣ上に位置される状態で、プリント回路基板２１の長手方向に並んで（アレイ状に）配置されている。
【００１６】
透光筒１１としては、ＬＥＤ素子２０から放射される光および後述する蛍光体層２５の発光による光を透過する材料が用いられ、このような材料としては、例えばアクリル樹脂などの樹脂材料や、ホウケイ酸ガラスなどのガラス材料を例示することができる。
【００１７】
透光筒１１の外周面には、開口部１６が長手方向に沿って延びるよう形成された略円筒状の反射体１５が設けられており、透光筒１１における、反射体１５の開口部１６に対応する領域によって光出射部１１Ａが形成されている。
反射体１５は、例えばアルミニウム箔が透光筒１１の外周面に巻回されて構成されており、その内周面が、ＬＥＤ素子２０からの光および蛍光体層２５の発光による光を鏡面反射あるいは拡散反射させる反射面とされている。
また、反射体１５の開口部１６の、透光筒１１の軸中心ＬＣを中心とする開き角αは、例えば６５°±１５°の範囲内であることが好ましい。開口部１６の開き角αが過大である場合には、不要成分の光が射出されＣＣＤ出力に影響を与え、開口部１６の開き角αが過小である場合には、光量不足、照射幅不足の影響がある。
【００１８】
この例においては、透光筒１１の内周面の周方向における全周にわたる領域に、蛍光体層２５が設けられている。
蛍光体層２５は、ＬＥＤ素子２０からの光によって蛍光体が励起されてＬＥＤ素子２０の発光による青色光のピーク波長より長波長の励起光（黄色光）を放射するものであって、例えば、黄色蛍光体が透明な樹脂に混入されて、あるいは、赤色蛍光体と緑色蛍光体とが透明な樹脂に混入されて構成されている。
黄色蛍光体としては、例えば、（Ｙ，Ｇｄ）3 Ａｌ5 Ｏ12：Ｃｅ、Ｔｂ3 Ａｌ5 Ｏ12：Ｃｅ、（Ｓｒ，Ｂａ）Ｓｉ2 （Ｏ，Ｃｌ）2 Ｎ2 ：Ｅｕ、ＳｒＳｉ2 （Ｏ，Ｃｌ）2 Ｎ2 ：Ｅｕなどを例示することができる。
赤色蛍光体としては、例えば、ＣａＡｌＳｉＮ3 ：Ｅｕ、（Ｃａ，Ｓｒ）2 Ｓｉ5 Ｎ8 ：Ｅｕ、ＣａＳｉＮ2 ：Ｅｕ、Ｓｒ3 ＳｉＯ2 ：Ｅｕ，Ｙｂ、Ｂａ3 ＭｇＳｉ2 Ｏ8 ：Ｅｕ，Ｍｎ、（Ｓｒ，Ｃａ，Ｂａ，Ｍｇ）10（ＰＯ4 ）6 Ｃ12：Ｅｕ，Ｍｎなどを例示することができる。
緑色蛍光体としては、Ｃａ3 Ｓｃ2 Ｓｉ3 Ｏ12：Ｃｅ、Ｓｒ−ＳｉＯＮ：Ｅｕ、Ｙ3 （Ａｌ，Ｇａ）5 Ｏ12：Ｃｅ、ＺｎＳ：Ｃｕ，Ａｌ、ＢａＭｇＡｌ10Ｏ17：Ｅｕ，Ｍｎ、ＳｒＡｌ2 Ｏ4 ：Ｅｕなどを例示することができる。
【００１９】
而して、上記の光源装置１０においては、ＬＥＤ素子２０の光軸Ｃと、反射体１５の開口部１６の周方向における中央位置とＬＥＤ素子２０の光出射面２０Ａにおける中央位置とを結ぶ仮想直線Ｌに対してなす角（以下、「ＬＥＤ素子配置角」という。）βが、目的に応じた所望の色度の光が出射されるよう、調整された状態とされている。
ＬＥＤ素子２０の発光には、図３に示すような配光分布があり、ＬＥＤ素子２０の光出射面２０Ａの法線方向に高い指向性を有している。本発明においては、この配光分布における光量が最大となる方向、すなわちＬＥＤ素子２０の光出射面２０Ａの中央位置において法線方向に延びる軸をＬＥＤ素子２０の光軸Ｃとして定義することとする。
【００２０】
この例においては、ＬＥＤ素子２０の各々が、ＬＥＤ素子２０の光軸Ｃと透光筒１１の外周面との交点が、反射体１５の開口部１６の周方向における中央位置から変位して位置されるよう、具体的には、ＬＥＤ素子２０の光軸Ｃが反射体１５に向かって延びるよう、配置されており、ＬＥＤ素子２０の光軸方向を含む比較的光量の多い方向に放射される光のうち蛍光体層２５を透過する青色光は反射体１５によって反射されて再びＬＥＤ素子２０側に戻されて蛍光体の励起に供されることとなり、後述する実験例の結果にも示されているように、図４に示す構成、すなわちＬＥＤ素子２０の光軸Ｃが反射体１５の開口部１６の周方向における中央位置に位置された構成（ＬＥＤ素子配置角β＝０°）のものに比して青色光の光量割合の少ない白色光が放射される。
また、図５に示すように、ＬＥＤ素子２０の光軸Ｃと、反射体１５の開口部１６の周方向における中央位置とＬＥＤ素子２０の光出射面２０Ａにおける中央位置とを結ぶ仮想直線Ｌに対してなす角（以下、「ＬＥＤ素子配置角」という。）βを、図２に示す構成のものより大きくなる状態とされることにより、後述する実験例の結果にも示されているように、更に青色光の光量割合の少ない白色光が放射される。
すなわち、ＬＥＤ素子配置角βが大きくなるに従って出射光における青色光の光量割合が少なくなる。
【００２１】
上記の光源装置１０は次のようにして作製することができる。
すなわち、先ず、外周面に反射体１５を設けた透光筒１１の内周面に、樹脂材料に蛍光体が混濁された混濁液を塗布することにより蛍光体層２５を所定の厚みで形成した後、透光筒１１の内部に、複数個のＬＥＤ素子２０が実装されたプリント回路基板２１を挿入して各々のＬＥＤ素子２０における光出射面２０Ａを透光筒１１の軸中心ＬＣ上に位置させた状態で透光筒１１の両端の各々に透光筒１１に対して回転自在に設けた適宜の治具によって保持させて仮固定する。
次いで、各々のＬＥＤ素子２０を点灯し、透光筒１１の光出射部１１Ａの外周面から例えば３ｃｍ離れた位置に配置した分光器により出射光を検出して色度を測定する測光動作を行い、この結果に基づいて、治具を回転させることによりＬＥＤ素子２０の光軸Ｃの、反射体１５の開口部１６に対する角度状態を調整して再度色度を測定する測光動作を、必要に応じて適宜に行い、所望の色度の出射光、例えば原稿読取装置に搭載される場合には、受光素子（ＣＣＤ）の感度特性に応じた色度の出射光を得るための角度状態（ＬＥＤ素子配置角β）についての設定条件を取得する。
その後、プリント回路基板２１をその両端部を基板保持部材３０の端壁に形成された貫通孔内に挿入して無機接着剤Ｓによって基板保持部材３０の端壁に固定してこれに保持させ、上記において取得した設定条件で、プリント回路基板２１を配設した状態で基板保持部材３０の内周面と透光筒１１の外周面との間に無機接着剤Ｓを充填して基板保持部材３０を透光筒１１に固定することにより、図１および図２に示す構成の光源装置１０を得ることができる。
【００２２】
而して、上記構成の光源装置１０によれば、透光筒１１の内周面に蛍光体層２５が設けられていることにより、蛍光体層２５はその厚みの均一性が高いものとなり、ＬＥＤ素子からいずれの方向に出射される光についても、蛍光体層を透過する距離が同じになるので、色度の均一化度の高い光を出射することができ、しかも、各々のＬＥＤ素子２０は、開口部１６を有する反射体１５および蛍光体層２５が設けられた透光筒１１と分離されて透光筒１１の内部に配置された構成とされていることにより、ＬＥＤ素子２０の光軸Ｃの、反射体１５の開口部１６に対する角度状態を適宜に調整することによって、出射光におけるＬＥＤ素子２０の発光による光と蛍光体層２５の発光による光との光量バランスを容易に調整することができるので、所望の色度の光を得ることのできるものとして構成することができる。
また、一種類のＬＥＤ素子２０によって、上記の効果が得られるので、光学特性の調整が容易である。
【００２３】
さらにまた、ＬＥＤ素子２０の光軸Ｃが反射体１５に向かって延びるよう配置されていることにより、ＬＥＤ素子２０の光軸Ｃ方向を含む比較的光量の多い方向に放射される光のうち蛍光体層２５を透過する青色光は反射体１５によって反射されて再びＬＥＤ素子２０側に戻されて蛍光体の励起に供されることとなって、光出射部１１Ａより出射される光（白色光）は、ＬＥＤ素子２０自体の有する配光分布による方向依存性が低いものとなって、光照射領域における色度の均一性を一層高くすることができる。従って、例えば原稿読取装置の光源として用いた場合において、受光素子による読取不良が生じることを確実に防止することができる。
【００２４】
以上、本発明の実施形態について説明したが、本発明は上記の実施形態に限定されるものではなく、種々の変更を加えることができる。
【００２５】
上記の例は、光源装置１０の作製時に、ＬＥＤ素子２０の光軸Ｃの、反射体１５の開口部に対する角度状態を適宜に調整して色度調整を行い、ＬＥＤ素子２０が実装されたプリント回路基板２１を保持する基板保持部材３０を透光筒１１に固定する構成のものであるが、図６に示すように、プリント回路基板２１が透光筒１１に対して相対的に回転可能に保持された構成とされていることが好ましい。この例の光源装置１０においては、左端部および右端部におけるプリント回路基板２１の保持構造は同一である。
【００２６】
プリント回路基板２１の保持構造について具体的に説明すると、プリント回路基板２１は、その長手方向における両端部の各々に連続して外方に延びるロッド状部分２２を有しており、このロッド状部分２２が、基板保持部材３０の端壁に形成された貫通孔３１内に挿入されて基板保持部材３０の外端面より外方に突出して延びる状態で、基板保持部材３０によって回転可能に軸支され、さらに、プリント回路基板２１のロッド状部分２２における、基板保持部材３０の外端面より外方に突出する外端部に、円柱状の角度調整用回転体（回転ノブ）３５がその中心軸（回転中心軸Ｒ）が例えば透光筒１１の軸中心ＬＣと同軸上に位置された状態で、嵌合されて装着されている。
角度調整用回転体３５における外周縁部には、角度調整用回転体３５の厚み方向に貫通して延びるよう固定用ネジ３６が設けられており、この固定用ネジ３６を締めることにより角度調整用回転体３５の回転を禁止してプリント回路基板２１の角度状態（ＬＥＤ素子配置角β）を固定するロック機構が構成されている。
【００２７】
この光源装置１０においては、先ず、プリント回路基板２１が透光筒１１に対して所定の角度状態で固定された状態において、各々のＬＥＤ素子２０を点灯し、透光筒１１の光出射部１１Ａの外周面から例えば３ｃｍ離れた位置に配置した分光器により出射光を検出して色度を測定する測光動作を行い、この検出結果に基づいて、左端側の固定用ネジ３６および右端側の固定用ネジを共に緩めて角度調整用回転体３５を同方向に回転させることによりプリント回路基板２１を回転中心軸Ｒ周りに回転させてＬＥＤ素子２０の光軸Ｃの反射体１５の開口部１６に対する角度状態を調整して再度色度を測定する測光動作を、必要に応じて適宜に行い、所望の色度の出射光が得られたときに、左端側の固定用ネジ３６および右端側の固定用ネジを共に締めてプリント回路基板２１の角度状態（ＬＥＤ素子配置角β）を固定することにより、出射光の色度の調整を行うことができる。
【００２８】
このような構成の光源装置１０によれば、ＬＥＤ素子２０の光軸Ｃの、反射体１５の開口部１６に対する角度状態を調整して出射光の色度の調整を目的に応じて適宜に行うことができるので、例えば原稿読取装置に搭載するに際して、実際に原稿読取装置に搭載されている受光素子の感度特性に応じた所望の色度の光を確実に出射することができる。
【００２９】
さらにまた、本発明においては、蛍光体層が透光筒の内周面の周方向における全周にわたる領域に設けられた構成のものに限定されず、例えば図７に示すように、蛍光体層２５が透光筒１１の内周面の周方向における一部を除いた領域、具体的には例えば、反射体１５の開口部に対応する領域の周方向における中央部を除いた領域に設けられた構成とされていてもよい。このような構成によれば、光源装置１０からの出射光の光量を増加させることができる。
さらにまた、反射体が透光筒の外周面に設けられた構成のものにおいて、透光筒と反射体との間に、蛍光体層が設けられた構成とされていてもよい。
さらにまた、図８に示すように、反射体１５が透光筒１１の内周面に設けられた構成とされていてもよく、このような構成のものにおいては、蛍光体層２５は、少なくとも反射体１５の内周面および透光筒１１の反射体１５の開口部１６に対応する領域の内周面の少なくとも一方の、周方向における全周にわたる領域または周方向における一部を除いた領域に、形成すればよい。この例においては、蛍光体層２５は、反射体１５の内周面および透光筒１１における反射体１５の開口部１６に対応する領域の内周面の、周方向における全周にわたる領域に設けられている。
【００３０】
さらにまた、ＬＥＤ素子２０として、高入力タイプのものが用いられる場合には、例えば、プリント回路基板２１を熱伝導の良い部材により構成するなどしてプリント回路基板２１にヒートシンク機能を持たせた構成、あるいは、プリント回路基板２１の他面側にヒートシンクを設けた構成とすることができる。
【００３１】
以下、本発明の効果を確認するために行った実験例について説明する。
＜実験例１＞
図１および図２に示す構成に従って、反射体が透光筒の外周面に設けられると共に蛍光体層が透光筒の内周面の全周にわたって設けられてなり、ＬＥＤ素子配置角（β）を下記表１に従って変更した７種類の本発明に係る光源装置（Ａ）〜（Ｇ）を作製した。光源装置（Ａ）〜（Ｇ）の具体的な構成は、次に示すとおりである。
ＬＥＤ素子（２０）としてチップ状の青色発光ＬＥＤ素子を用いた。ＬＥＤ素子（２０）の数は１３個であり、ＬＥＤ素子（２０）の配設ピッチ（隣接するＬＥＤ（２０）素子間の離間距離）は２０ｍｍである。
透光筒（１１）は、材質がホウケイ酸ガラスで、全長が１００ｍｍ、内径が８．８ｍｍ、肉厚が０．５ｍｍである。
反射体（１５）は、アルミニウム箔が透光筒（１１）の外周面に開口部（１６）が形成されるよう巻回されて構成されており、開口部（１６）の開き角（α）は６５°である。  蛍光体層（２５）を構成する蛍光体としてＹＡＧ蛍光体（黄色蛍光体）を用い、蛍光体層（２５）の厚みを２０μｍとした。
【００３２】
光源装置（Ａ）〜（Ｇ）の各々について、透光筒（１１）の、反射体（１５）の開口部領域の外周面より、ＬＥＤ素子（２０）の光出射面（２０Ａ）における中央位置と、反射体（１５）の開口部（１６）の周方向における中央位置とを結ぶ仮想直線（Ｌ）方向に３０ｍｍ離間した位置に、色度測定装置の受光部を配置して光源装置（Ａ）〜（Ｇ）からの出射光の色度のｘ座標の値とｙ座標の値を求めた。結果を下記表１に示す。なお、無彩色の場合（白色光）におけるｘ座標の値とｙ座標の値は、それぞれ、ｘ＝０．３３，ｙ＝０．３３である。
【００３３】
【表１】
2011250028.tif 000003
【００３４】
表１に示す結果より明らかなように、ＬＥＤ素子配置角（β）が大きくなるに従って、光源装置からの出射光は、青色成分が少なくなることが確認された。
【符号の説明】
【００３５】
１０  光源装置
１１  透光筒
１１Ａ  光出射部
１５  反射体
１６  開口部
２０  ＬＥＤ素子
２０Ａ  光出射面
２１  プリント回路基板
２２  ロッド状部分
２５  蛍光体層
３０  基板保持部材（ホルダ）
３１  貫通孔
３５  角度調整用回転体（回転ノブ）
３６  固定用ネジ
４０  原稿台
４０Ａ  原稿載置面
Ｃ  ＬＥＤ素子の光軸
Ｌ  仮想直線
ＬＡ  照明領域
ＬＣ  透光筒の軸中心
Ｒ  回転中心軸
Ｓ  無機接着剤
Ｙ  原稿読取軸
α  反射体の開口部の開き角
β  ＬＥＤ素子配置角
５０  光源装置
５１  基板
５５  ＬＥＤ
５６  青色発光ＬＥＤ素子
５７  蛍光体層
５８  導光体
６０  原稿台
６０Ａ  原稿載置面
６１  反射ミラー
６５  ＣＣＤ（受光素子）
【図１】
2011250028.tif 000004
【図２】
2011250028.tif 000005
【図３】
2011250028.tif 000006
【図４】
2011250028.tif 000007
【図５】
2011250028.tif 000008
【図６】
2011250028.tif 000009
【図７】
2011250028.tif 000010
【図８】
2011250028.tif 000011
【図９】
2011250028.tif 000012
【図１０】
2011250028.tif 000013